(57)【要約】【課題】簡易な構成で光源により発生する熱を効率良く放熱させることができる照明装置及び液晶表示装置を提供する。【解決手段】バックライト１０の背面に配置され、光源（ＣＣＦＬ）１１が配置されるバックライト１０内の密閉空間の空気を循環させる空気循環路３１が形成されたダクト３０と、空気循環路３１に冷却フィン３３ｂの少なくとも一部が配置されたヒートシンク３３とを備え、バックライト１０内からダクト３０内に送り込んだ熱気を、空気循環路３１に配置された冷却フィン３３ｂによって冷却し、冷却した空気をバックライト１０内へ戻す。【選択図】図２
2009231193.tif 000002
【特許請求の範囲】
【請求項１】
光源と、該光源を密閉した状態で保持する筐体と、前記筐体の内部と連通して前記筐体内の空気を循環させる空気循環路が形成されたダクトと、前記ダクトの前記空気循環路に面した表面側に突出した冷却フィンが配置されたヒートシンクと、を備えることを特徴とする照明装置。
【請求項２】
前記冷却フィンは、ひれ状に互いに平行に延在して配置された複数の板状部を有して構成されており、前記空気を循環させる向きに前記冷却フィンは延在していることを特徴とする請求項１に記載の照明装置。
【請求項３】
前記筐体は、前記筐体内の空気を前記空気循環路内へ排気する排気孔と、前記空気循環路内の空気を前記筐体内へ吸気する吸気孔とを有し、
前記空気循環路を、一方の開口部を前記排気孔に接続し、他方の開口部を前記吸気孔に接続した管路により構成し、前記排気孔及び前記吸気孔の少なくとも一方に空気を循環させるための送風手段を備えることを特徴とする請求項１又は２に記載の照明装置。
【請求項４】
前記筐体は、前記筐体内の空気を前記空気循環路内へ排気する排気孔と、前記空気循環路内の空気を前記筐体内へ吸気する吸気孔とを有し、
前記空気循環路を、前記排気孔と前記吸気孔とを併せて覆い被せる箱体により構成し、前記排気孔及び前記吸気孔に空気を循環させるための送風手段を備えることを特徴とする請求項１又は２に記載の照明装置。
【請求項５】
前記冷却フィンは前記吸気孔及び前記排気孔と重ならない位置に設けられおり、前記冷却フィンは、ひれ状に互いに平行に延在して配置された複数の板状部を有して構成されており、前記排気孔から前記吸気孔に向けた方向に沿って延在して設けられていることを特徴とする請求項３又は４に記載の照明装置。
【請求項６】
前記筐体の上方部に前記排気孔を設け、前記筐体の下方部に前記吸気孔を設けることを特徴とする請求項３乃至５の何れか１項に記載の照明装置。
【請求項７】
前記筐体の下方部に前記排気孔を設け、前記筐体の上方部に前記吸気孔を設けることを特徴とする請求項３乃至５の何れか１項に記載の照明装置。
【請求項８】
前記ダクトの外部から前記ヒートシンクを冷却する冷却手段を備えることを特徴とする請求項１乃至７の何れか１項に記載の照明装置。
【請求項９】
前記請求項１乃至８の何れか１項に記載の照明装置と、前記照明装置により光が照射される液晶パネルとを備えることを特徴とする液晶表示装置。
【発明の詳細な説明】
【技術分野】
【０００１】
本発明は、密閉空間にて光源により発生する熱を放熱する照明装置及びその照明装置を用いた液晶表示装置に関する。
【背景技術】
【０００２】
液晶表示装置は、自分自身が発光する自発光素子ではなく、外部からの何らかの光によって映像を表示する受動型素子であるため、フロントライトや、バックライトなどの照明装置が用いられる。
このような液晶表示装置において輝度を高めようとする場合、光源の輝度を高める必要がある。液晶表示装置の光源としては、ＣＣＦＬ（冷陰極蛍光ランプ）やＬＥＤ（発光ダイオード）が用いられるのが一般的であり、このような光源の輝度を高めようとする場合、光源からの発熱量が大きくなるために光源ユニット内の温度が上がり、その結果、光源の発光効率が低下してしまう。
【０００３】
そこで、ファンを使用して外部から空気を挿引することで、光源を冷却させるという導光板方式のバックライトが知られている（例えば、特許文献１参照）。しかしながら、この場合、外気が汚染されている状況下では、外気の塵埃等の侵入により光源に汚れが付着して輝度が低下してしまう。
これを防ぐために、密閉された筐体内に光源を配置し、加えてその筐体に空気循環路とファンと熱交換器とを設けることで、筐体内の空気を循環させながら内部を冷却するという光源装置が知られている（例えば、特許文献２参照）。
【特許文献１】特開２００１−２８３６２４号公報
【特許文献２】特開２０００−１７１９２０号公報
【発明の開示】
【発明が解決しようとする課題】
【０００４】
しかしながら、上記特許文献２に記載の光源装置にあっては、熱交換器冷却用のファンによって熱交換器の外部から風を当てたり、熱交換器の外部に冷媒を封入したヒートパイプを設けたりしている。このように、熱交換器の外部を冷却することで熱交換器における熱交換能力を高めようとしており、その熱交換能力には限界がある。
また、熱交換能力を高めるために、熱交換器を、複数の細いパイプから構成したり、複数回折り曲げた管路と該管路が貫通された複数の放熱板とから構成したりするなど、熱交換器の形状が複雑でありコストが嵩む。
【０００５】
そこで、本発明は、簡易な構成で光源により発生する熱を効率良く放熱させることができる照明装置及び液晶表示装置を提供することを課題としている。
【課題を解決するための手段】
【０００６】
上記課題を解決するために、本発明に係る照明装置は、光源と、該光源を密閉した状態で保持する筐体と、前記筐体の内部と連通して前記筐体内の空気を循環させる空気循環路が形成されたダクトと、前記ダクトの前記空気循環路に面した表面側に突出した冷却フィンが配置されたヒートシンクと、を備えることを特徴としている。
これにより、筐体から空気循環路に送り込まれた空気を、空気循環路に配置された冷却フィンによって効率良く冷却し、冷却した空気を筐体内に戻すことができるので、筐体内の温度上昇を抑制して光源の発光効率の低下を抑制することができる。このように、空気循環路に冷却フィンを配置するだけで高い冷却効果が得られるので、ダクトの構成を簡素にすることができ、その分コストを削減することができる。
【０００７】
さらに、筐体と空気循環路とで光源を密閉した状態とするので、空気の循環により筐体内に外部の埃等が入ってしまうことを防止することができ、光源に汚れが付着することに起因する輝度低下を防止することができる。
また、本発明に係る照明装置は、上記において、前記冷却フィンは、ひれ状に互いに平行に延在して配置された複数の板状部を有して構成されており、前記空気を循環させる向きに前記冷却フィンは延在していることを特徴としている。
これにより、冷却フィンが空気循環路内における通風抵抗となることを抑制することができ、滞りなく空気を循環することができる。
【０００８】
さらに、本発明に係る照明装置は、上記において、前記筐体は、前記筐体内の空気を前記空気循環路内へ排気する排気孔と、前記空気循環路内の空気を前記筐体内へ吸気する吸気孔とを有し、前記空気循環路を、一方の開口部を前記排気孔に接続し、他方の開口部を前記吸気孔に接続した管路により構成し、前記排気孔及び前記吸気孔の少なくとも一方に空気を循環させるための送風手段を備えることを特徴としている。
このように、空気循環路を管路で構成することで、空気の流路が明確になるため、送風手段（例えば、ファン）を吸気孔及び排気孔の何れか一方に設けるだけでも空気を循環させることができる。また、送風手段の設置数を減らすことができるので、省スペース化を実現することができると共に、騒音を小さくすることができる。
【０００９】
さらにまた、本発明に係る照明装置は、前記筐体は、前記筐体内の空気を前記空気循環路内へ排気する排気孔と、前記空気循環路内の空気を前記筐体内へ吸気する吸気孔とを有し、前記空気循環路を、前記排気孔と前記吸気孔とを併せて覆い被せる箱体により構成し、前記排気孔及び前記吸気孔に空気を循環させるための送風手段を備えることを特徴としている。
これにより、空気循環路で冷却された空気が吸気孔から筐体内へ戻されるのに加えて、空気循環路に覆い被された筐体の壁面からも放熱効果が得られるので、冷却効率を向上させることができる。
【００１０】
また、本発明に係る照明装置は、上記において、前記冷却フィンは前記吸気孔及び前記排気孔と重ならない位置に設けられおり、前記冷却フィンは、ひれ状に互いに平行に延在して配置された複数の板状部を有して構成されており、前記排気孔から前記吸気孔に向けた方向に沿って延在して設けられていることを特徴としている。
これにより、冷却フィンが空気循環路内における通風抵抗となることを抑制することができるので、排気孔から空気循環路に排気された空気を滞りなく循環させて、吸気孔から筐体内部に冷気を戻すことができる。
【００１１】
さらに、本発明に係る照明装置は、上記において、前記筐体の上方部に前記排気孔を設け、前記筐体の下方部に前記吸気孔を設けることを特徴としている。
これにより、筐体上方部に溜まった熱を空気循環路内に排出し、空気循環路を通って冷却された空気を筐体内に戻すことができ、効率良く筐体内の温度上昇を抑制することができる。
【００１２】
また、本発明に係る照明装置は、上記において、前記筐体の下方部に前記排気孔を設け、前記筐体の上方部に前記吸気孔を設けることを特徴としている。
これにより、空気循環路を通って冷却された空気を、熱が溜まった筐体上方部に戻すことができ、効率良く筐体内の温度上昇を抑制することができると共に、筐体内における上方部の温度と下方部の温度との均一化を図ることができる。
【００１３】
さらに、本発明に係る照明装置は、上記において、前記ダクトの外部から前記ヒートシンクを冷却する冷却手段を備えることを特徴としている。
これにより、空気循環路を通る空気から冷却フィンに伝達された熱をダクト外部に放熱させることができるので、より効率良く空気循環路を通る熱気を冷却することができる。
【００１４】
さらにまた、本発明に係る液晶表示装置は、上記の何れか１つの照明装置と、前記照明装置により光が照射される液晶パネルとを備えることを特徴としている。
これにより、簡易な構成で光源により発生した熱を効率良く放熱し、光源の発光効率の低下を抑制することができる照明装置を搭載した液晶表示装置とすることができる。
【発明を実施するための最良の形態】
【００１５】
以下、本発明の実施の形態を図面に基づいて説明する。
図１は、本発明に係る液晶表示装置を構成する液晶モジュール１の平面図である。
この液晶モジュール１は、バックライト１０と、液晶パネル２０とを備え、液晶表示装置は、当該液晶モジュール１と、前記液晶パネル２０を駆動するドライバＩＣ及びその信号制御回路（図示せず）とを備える。
【００１６】
バックライト１０は、液晶パネル２０の背面に配置されて該液晶パネル２０を照射するものであり、本実施形態では直下型バックライトを適用する。
この図１に示すように、バックライト１０は、光源として複数の冷陰極蛍光ランプ（ＣＣＦＬ）１１を有し、このＣＣＦＬ１１は、金属板からなり上面が開口された箱状の下フレーム１２と拡散板１３とによって定義される密閉空間に配置される。拡散板１３の上側には拡散シート１４と、２枚のレンズシート１５，１６とがこの順番で配置される。また、図示しないが、下フレーム１２の内壁には反射シートが貼り付けられている。
【００１７】
このような構成により、ＣＣＦＬ１１から四方に照射された光のうち上方以外に照射された光も、上記反射シートによって上方（液晶パネル２０側）に反射される。そして、その光は拡散板１３によって拡散され、このようにして導かれた光は、拡散シート１４でさらに散乱されて均一にされると共に、レンズシート１５，１６によって集光されて、これが液晶パネル２０の背面に導かれる。
【００１８】
なお、拡散シート及びレンズシートは、液晶パネル２０に充分な明るさを得られるのであれば、シートの枚数や重ねる順番もこれに限られるものではない。
液晶パネル２０は、透明な絶縁性を有する材料、例えばガラス基板からなり、２枚の基板を所定の間隔で対向させ、表示領域外周をシール材で接着すると共に液晶を封入し、その上下面に偏光板を貼り付けた構成となっている。
【００１９】
この液晶パネル２０は、図１に示すように、バックライト１０の上側に配置される。
なお、この液晶モジュール１は、液晶表示装置の使用時において、図１の上側（液晶パネル２０側）を前面とし、図１の手前側を下面として配置されるものとする。
バックライト１０の背面には、バックライト１０におけるＣＣＦＬ１１が配置された密閉空間内の空気（以下、バックライト１０内の空気と称す）を循環させる空気循環路が形成されたダクト３０が配置されている。
【００２０】
図２は、バックライト１０及びダクト３０の構成を示す断面図である。
ダクト３０は管状の部材であって、一方の開口部を、下フレーム１２の背面の上方部に形成された排気孔１２ａに接続し、他方の開口部を、下フレーム１２の背面の下方部に形成された吸気孔１２ｂに接続することで、排気孔１２ａと吸気孔１２ｂとを介してバックライト１０内と連通する空気循環路３１を形成している。
【００２１】
また、ダクト３０は、その管状部材を排気孔１２ａ及び吸気孔１２ｂと対向する位置で夫々略直角に折り曲げることで、図２に示す側面視において略コの字状となっている。すなわち、ダクト３０の中間部は下フレーム１２の背面から離隔した状態となっている。
さらに、排気孔１２ａには、バックライト１０の内部から空気を取り込んでダクト３０側に送り出す送風手段として機能するファン３２が配置されている。このように、ファン３２でバックライト１０内の空気をダクト３０内に排出することで、排出された空気は空気循環路３１を通って下方へ向けて流れ込み、吸気孔１２ｂからバックライト１０内に戻される。
【００２２】
また、ダクト３０の中間部には、ヒートシンク３３が配置されている。ヒートシンク３３は、アルミニウム等の熱伝導率が高い材質により構成され、ダクト３０の側壁に接続されたベース部３３ａから、冷却フィン３３ｂがダクト３０内部に延びた形状となっている。ここで、冷却フィン３３ｂは、ひれ状に互いに平行に延在して配置された複数の板状部を有して構成されており、排気孔１２ａから吸気孔１２ｂに向けた方向に沿って延在して設けられている。
【００２３】
このように、本実施形態では、冷却フィン３３ｂを、空気循環路３１に配置した構成とする。なお、冷却フィン３３ｂの向きは、空気循環路３１内を通る空気の流れを阻害しない方向（通風抵抗が低くなる方向）に向いている。
また、冷却フィン３３ｂは、ダクト３０の中間部、即ちダクト３０における排気孔１２ａに対向する屈折部から吸気孔１２ｂに対向する屈折部までの区間のうち、屈折部近傍を除いた区間に配置されている。
【００２４】
排気孔１２ａや吸気孔１２ｂの近傍（特に屈折部近傍）に冷却フィン３３ｂを配置すると、冷却フィン３３ｂが抵抗となってこの部分で空気が乱流となり、空気の吐き出し効率や吸い出し効率が低下してしまう。そこで、上述したように、冷却フィン３３ｂを、排気孔１２ａ及び吸気孔１２ｂと重ならない位置、即ち空気循環路内の空気が整流状態となるダクト３０の中間部に冷却フィン３３ｂを配置することで、この冷却フィン３３ｂが空気の流動の妨げとなるのを抑制している。
【００２５】
このような構成により、光源で発生した熱によってバックライト１０内の温度が上昇すると、バックライト１０内の熱気は、図２の破線矢印に示すように、バックライト１０内の上方部に流動する。そして、その熱気は、バックライト１０から排気孔１２ａを介してダクト３０内へ排出され、空気循環路３１を通って下方へ向けて流れ込み、その途中でヒートシンク３３の冷却フィン３３ｂによって冷却される。そして、冷却された空気が吸気孔１２ｂからバックライト１０内に戻される。
【００２６】
このように、上記第１の実施形態では、光源を密閉した状態で取り囲み、その密閉空間内で空気の循環及び冷却を行うので、空気の循環により筐体内に外部の埃等が入ってしまうことを防止して、光源に汚れが付着することに起因する輝度低下を防止しつつ、光源ユニット内の温度上昇を抑制することができる。
また、空気循環路内にヒートシンクの冷却フィンを配置するので、空気の冷却効率を向上させることができる。さらに、ダクト及び空気循環路の構成を簡素にすることができ、その分コストを削減することができる。
【００２７】
また、ヒートシンクをダクトの中間部に設けるので、空気循環路内の空気が整流状態となる場所に冷却フィンを設けることができ、冷却フィンが通風抵抗となることを抑制して、滞りなく空気を循環させることができる。
さらにまた、ダクトの形状を管状とするので、空気循環路内の空気の流路を明確にすることができ、排気孔のみに送風手段としてのファンを設置するだけで適正に空気を循環させることができる。したがって、ファンの設置数を最小限として、省スペース化を実現することができると共に、騒音を小さくすることができる。
さらに、バックライトの上方部に排気孔、下方部に吸気孔を設けるので、バックライト内上方部に溜まった熱をダクト内に排出し、効率的に冷却することができる。
【００２８】
次に、本発明における第２の実施形態について説明する。
この第２の実施形態は、上述した第１の実施形態において、バックライト１０の上方部から空気を排出し、バックライト１０の下方部から冷却された空気を取り込んでいるのに対し、バックライト１０の下方部から空気を排出し、バックライト１０の上方部から冷却された空気を取り込むようにしたものである。
【００２９】
図３は、第２の実施形態におけるバックライト１０及びダクト３０の構成を示す断面図である。
ダクト３０は、図２に示す第１の実施形態におけるダクト３０と同じ形状を有しており、一方の開口部を、下フレーム１２の背面の下方部に形成された排気孔１２ｃに接続し、他方の開口部を、下フレーム１２の背面の上方部に形成された吸気孔１２ｄに接続することで、排気孔１２ｃと吸気孔１２ｄとを介してバックライト１０内と連通する空気循環路３１を形成している。
【００３０】
そして、排気孔１２ｃには、バックライト１０の内部から空気を取り込んでダクト３０側に送り出すファン３２が配置されている。
なお、ヒートシンク３３の形状及び配置場所は、上述した第１の実施形態と同様である。
このような構成により、図３の破線矢印に示すように、ファン３２によってバックライト１０から排気孔１２ｃを介してダクト３０内に排出された空気は、空気循環路３１を通って上方へ向けて流れ込み、その途中でヒートシンク３３の冷却フィン３３ｂによって冷却される。そして、冷却された空気が吸気孔１２ｄを介してバックライト１０内に戻される。
【００３１】
ところで、送風手段（ファン）によってバックライト１０内の空気を吸い出してダクト３０内へ排出する場合、バックライト１０内の排気孔付近では空気の渋滞が起こり易い。
熱気は上方へ、冷気は下方へ移動する性質があるため、ファンの性能が高ければ、前述した第１の実施形態のように、バックライト１０内上方部に溜まった熱気をダクト３０内に排出して冷却することは、効率の良い方法の一つであるが、仮にファンの性能が低いと、バックライト１０内上方部に熱が溜まった状態となり、バックライト１０内の上方部と下方部とで温度差が生じてしまう。
【００３２】
そこで、本実施形態では、バックライト１０の下方部からダクト３０内に空気を排出し、冷却した空気をバックライト１０の上方部に戻すようにする。これにより、ファンの性能が低い場合であっても、バックライト１０内上方部の温度を下げることができ、バックライト１０内の温度均一化を図ることができる。
このように、上記第２の実施形態では、バックライトの下方部に排気孔、上方部に吸気孔を設けるので、空気循環路を通って冷却された空気を、熱が溜まったバックライト上方部に戻すことができ、効率良く光源ユニット内の温度上昇を抑制することができると共に、光源ユニット内における上方部の温度と下方部の温度とを均一化を図ることができる。さらに、排気孔に設けるファンの排気能力が比較的小さくて済むので、騒音を小さくすることができる。
【００３３】
次に、本発明における第３の実施形態について説明する。
この第３の実施形態は、上述した第１及び第２の実施形態において、ダクトの形状を管状に形成しているのに対し、排気孔及び吸気孔を覆い被せる箱状に形成するようにしたものである。
【００３４】
図４は、第３の実施形態におけるバックライト１０及びダクト４０の構成を示す断面図である。
バックライト１０において、下フレーム１２の背面には放熱板１２ｅが貼り付けられており、この放熱板１２ｅを介してバックライト１０内の熱が放熱されやすい構成となっている。
ダクト４０は、前方（バックライト１０側）に開口部を有する箱状の部材であって、下フレーム１２の背面の上部に形成された排気孔１２ａと、下フレーム１２の背面の下部に形成された吸気孔１２ｂとを覆い被せるような位置に配置されている。
【００３５】
そして、下フレーム１２の背面に対向配置されたダクト４０の背面と、ダクト４０の四方の側面と、ダクト４０に覆い被された下フレーム１２の背面のうち、排気孔１２ａ及び吸気孔１２ｂを除く面とによって、排気孔１２ａと吸気孔１２ｂとを介してバックライト１０内と連通する空気循環路４１を形成している。
また、排気孔１２ａには、バックライト１０の内部から空気を取り込んでダクト４０側に送り出すファン４２ａが配置されると共に、吸気孔１２ｂには、ダクト４０の内部から空気を取り込んでバックライト１０側に送り出すファン４２ｂが配置されている。
【００３６】
また、ダクト４０の中間部には、ヒートシンク４３が配置されている。このヒートシンク４３は、前述した第１及び第２の実施形態のヒートシンク３３と同様に、ベース部４３ａから複数の平板状の冷却フィン４３ｂが延びた形状となっている。
このような構成により、図４の破線矢印に示すように、ファン４２ａによってバックライト１０から排気孔１２ａを介してダクト４０内に排出された空気は、空気循環路４１を通って下方へ向けて流れ込み、その途中でヒートシンク４３によって冷却される。そして、冷却された空気が吸気孔１２ｂを介してファン４２ｂによってバックライト１０内に戻される。
【００３７】
このとき、ダクト４０の形状は、上述したように排気孔１２ａ及び吸気孔１２ｂを覆い被せる箱状であるため、空気循環路４１内の冷気は、下フレーム１２の背面にも送られる。したがって、下フレーム１２の背面に貼り付けられた放熱板１２ｅを介して放熱されたバックライト１０内の熱気は、空気循環路４１内の冷気によって効率良く冷却されることになる。
【００３８】
このように、上記第３の実施形態では、ダクトの形状を箱状とするので、空気循環路で冷却された空気が吸気孔から筐体内へ戻されるのに加えて、空気循環路に覆い被された下フレームの背面からも放熱効果が得られるので、より効果的に光源ユニット内の温度上昇を抑制することができる。
なお、上記第３の実施形態においては、バックライト１０の上方部に排気孔１２ａ、下方部に吸気孔１２ｂを設ける場合について説明したが、前述した第２の実施形態のように、バックライト１０の下方部に排気孔１２ｃ、上方部に吸気孔１２ｄを設けることもできる。
【００３９】
なお、上記各実施形態においては、ダクト３０又は４０の外部からヒートシンク３３又は４３を冷却する冷却手段を設けることもできる。
【００４０】
図５は、ヒートシンク３０の変形例を示す図である。
この図５に示すように、ダクト３０の外部にはヒートシンク３３を冷却する冷却手段として機能する第２のヒートシンク５１が設けられている。
第２のヒートシンク５１のベース部５１ａは、ヒートシンク３３のベース部３３ａに接触し、ベース部５１ａからは冷却フィン５１ｂが、ヒートシンク３３の冷却フィン３３ｂの延出方向とは反対方向に延びている。また、この冷却フィン５１ｂには、当該冷却フィン５１ｂを空冷するための冷却用ファン５１ｃが一体的に接続されている。
【００４１】
これにより、バックライト１０の内部から排出された空気の熱は、ヒートシンク３３の冷却フィン３３ｂに伝達され、その熱がヒートシンク３３のベース部３３ａ及び第２のヒートシンク５１のベース部５１ａを介して冷却フィン５１ｂに伝達される。そしてさらにその熱は、冷却フィン５１ｂから、それらの間を通して流れる空気に放熱される。このとき、冷却用ファン５１ｃで冷却フィン５１ｂを空冷するので、放熱効率を向上させることができる。
【００４２】
なお、ここでは、ヒートシンク３３を、冷却用ファン５１ｃを備える第２のヒートシンク５１を用いて冷却する場合について説明したが、ヒートシンク３３を冷媒が封入されたヒートパイプを用いて冷却することもできる。
また、上記冷却手段は、ヒートシンク４３にも適用可能である。
さらに、上記各実施形態においては、バックライトの背面にダクトを一つだけ配置する場合について説明したが、ダクトを複数配置することもできる。
【００４３】
また、上記各実施形態においては、バックライトの上方部と下方部とにそれぞれ排気孔と吸気孔とを設ける場合について説明したが、熱が溜まりやすいバックライト上方部に排気孔及び吸気孔を設け、バックライト上方部の空気を循環し冷却することもできる。
さらに、上記各実施形態においては、ヒートシンクの冷却フィンの形状を平板状とする場合について説明したが、針状とすることもできる。これにより、より通風抵抗を低く抑えることができる。
【００４４】
またさらに、上記各実施形態においては、直下型バックライトを適用する場合について説明したが、エッジライト型のバックライトにも本発明を適用することができる。また、光源としてＣＣＦＬを適用する場合について説明したが、ＬＥＤ（発光ダイオード）等を適用することもできる。さらにまた、本発明に係る照明装置を液晶表示装置のバックライトに適用する場合について説明したが、サイドライトやフロントライトに適用することもできる。
【図面の簡単な説明】
【００４５】
【図１】本実施形態における液晶モジュールの分解斜視図である。
【図２】第１の実施形態におけるダクトの構成を示す図である。
【図３】第２の実施形態におけるダクトの構成を示す図である。
【図４】第３の実施形態におけるダクトの構成を示す図である。
【図５】ヒートシンクの変形例を示す図である。
【符号の説明】
【００４６】
１…液晶モジュール、１０…バックライト、２０…液晶パネル、１１…冷陰極蛍光ランプ（ＣＣＦＬ）、１２…下フレーム、１２ａ，１２ｃ…排気孔、１２ｂ，１２ｄ…吸気孔、１３…拡散板、１４…拡散シート、１５，１６…レンズシート、３０…ダクト、３１…空気循環路、３２…ファン、３３…ヒートシンク、３３ａ…ベース部、３３ｂ…冷却フィン、４０…ダクト、４１…空気循環路、４２ａ，４２ｂ…ファン、４３…ヒートシンク、４３ａ…ベース部、４３ｂ…冷却フィン、５１…第２のヒートシンク、５１ａ…ベース部、５１ｂ…冷却フィン、５１ｃ…冷却用ファン
【図１】
2009231193.tif 000003
【図２】
2009231193.tif 000004
【図３】
2009231193.tif 000005
【図４】
2009231193.tif 000006
【図５】
2009231193.tif 000007